(57)【要約】【課題】尿の吸収効率を向上できる袋状の吸収性物品を提供する。【解決手段】採尿袋１ａは、平面状の吸収パッドを折り曲げて形成される。この吸収パッドは、尿を吸収する吸収体３と、吸収体３が固定される透液性の表面シート４と、撥水性の背面シート５とを備えている。吸収体３は背面シート５と非接着とされ、表面シート４は吸収体３が存在しない領域で背面シート５と接着される。このため、採尿袋１ａの内部には、吸収体３同士の間の第１空間Ｒ１と、吸収体３と背面シート５との間の第２空間Ｒ２とが形成される。これらの第１空間Ｒ１と第２空間Ｒ２との双方に尿を蓄積させることができるため、吸収体３の尿との接触面積を増やすことができ、尿の吸収効率を向上できる。また、採尿袋１ａの内部空間と外部空間とを貫通するスリット４１が形成されるため、このスリット４１に男性器を挿入することで採尿袋１ａを安定して装着できる。【選択図】図８
2008228981.tif 000002
【特許請求の範囲】
【請求項１】
平面状の略長方形の吸収パッドを短手方向に沿った折曲線で折り曲げ、対向する側縁部同士を接着して袋状に形成された吸収性物品であって、
前記吸収パッドは、
尿を吸収する吸収体と、
前記吸収体が固定される固定シートと、
前記袋状の前記吸収性物品において、前記固定シート及び前記吸収体の外側に配置される背面シートと、
を備え、
前記吸収体は、前記背面シートと非接着とされ、
前記固定シートは、
前記吸収体が固定されていない領域で前記背面シートと接着されるとともに、
前記吸収パッドの長手方向の一方の端部となる領域に、前記袋状の前記吸収性物品においてその内部空間と外部空間とを貫通するスリットが形成されることを特徴とする吸収性物品。
【請求項２】
請求項１に記載の吸収性物品において、
前記内部空間は、前記吸収性物品の内部の前記吸収体と前記背面シートとの間の空間であることを特徴とする吸収性物品。
【請求項３】
請求項１または２に記載の吸収性物品において、
前記吸収パッドを前記折曲線で折り曲げた状態で対向する、前記袋状の前記吸収性物品の開口部に相当する部分同士は接着されることを特徴とする吸収性物品。
【請求項４】
請求項３に記載の吸収性物品において、
前記背面シートは、所定方向に沿った線で折り畳まれ、一または複数の襞を有することを特徴とする吸収性物品。
【請求項５】
請求項４に記載の吸収性物品において、
前記複数の襞は、前記所定方向の両端部で熱融着により固定されることを特徴とする吸収性物品。
【請求項６】
請求項４または５に記載の吸収性物品において、
前記所定方向は、前記吸収パッドの長手方向であることを特徴とする吸収性物品。
【請求項７】
請求項６に記載の吸収性物品において、
前記袋状の前記吸収性物品において、前記固定シートと前記背面シートとは、前記吸収パッドの長手方向の両端部に相当する位置のみにおいて接着されることを特徴とする吸収性物品。
【請求項８】
請求項１ないし７のいずれかに記載の吸収性物品において、
前記背面シートは、
撥水性の第１シートと、
前記袋状の前記吸収性物品において、前記第１シートの内側に配置される透液性の第２シートと、
前記第１シートと前記第２シートとの間に分散配置される多数の粒状の高分子吸水体と、
を備えることを特徴とする吸収性物品。
【請求項９】
請求項１ないし８のいずれかに記載の吸収性物品において、
前記吸収体は、互いに離間して配置される複数のサブ吸収体、
で構成されることを特徴とする吸収性物品。
【請求項１０】
請求項９に記載の吸収性物品において、
前記複数のサブ吸収体同士の一の境界領域は、前記吸収パッドの短手方向の中央の線に沿っていることを特徴とする吸収性物品。
【請求項１１】
請求項９または１０に記載の吸収性物品において、
前記複数のサブ吸収体同士の一の境界領域は、前記折曲線に沿っていることを特徴とする吸収性物品。
【請求項１２】
請求項１１に記載の吸収性物品において、
前記固定シートには、前記折曲線に沿って透孔が形成されることを特徴とする吸収性物品。
【請求項１３】
請求項１ないし１２のいずれかに記載の吸収性物品において、
前記吸収パッドの長手方向において、
前記折曲線から前記吸収体の一方の端部までの長さと、
前記折曲線から前記吸収体の他方の端部までの長さとは異なることを特徴とする吸収性物品。
【発明の詳細な説明】
【技術分野】
【０００１】
本発明は、平面状の吸収パッドを折り曲げて袋状に形成された吸収性物品に関する。
【背景技術】
【０００２】
従来より、使い捨てパンツなどのアウターの内側に配置して使用される平面状の吸収パッドが知られている。このような吸収パッドは、吸収体を有しており、使用者の尿の吸収を主目的としている。吸収パッドを使用した場合には、使用者が排尿したときに、アウター全体を取り替えずに吸収パッドのみを取り替えるだけでよいため、経済的である。
【０００３】
また、近年では、平面状の吸収パッドを折り曲げて袋状に形成された採尿袋と呼ばれる男性用の吸収性物品も提案されている。この採尿袋は、その内部空間に使用者の男性器を収容して使用する。このため、使用者の尿は、全て採尿袋の内部空間に入り込むため、効率よく尿を吸収できる（例えば、特許文献１参照。）。
【０００４】
【特許文献１】特開２００２−３３６２８５号公報
【発明の開示】
【発明が解決しようとする課題】
【０００５】
ところで、採尿袋の内部空間に進入した尿は、採尿袋が有する吸収体に吸収されるが、この吸収体に吸収されるまでには、採尿袋の内部空間に蓄積される。
【０００６】
しかしながら、採尿袋の内部空間は限定された空間であることから、蓄積された尿が吸収体に吸収される前に、採尿袋の外部へ漏れ出すことがある。このため、このような外部への尿の漏れ出しを防止するために、採尿袋において尿の吸収効率を向上できる技術が要望されていた。
【０００７】
本発明は、上記課題に鑑みてなされたものであり、尿の吸収効率を向上できる吸収性物品を提供することを目的とする。
【課題を解決するための手段】
【０００８】
上記課題を解決するため、請求項１の発明は、平面状の略長方形の吸収パッドを短手方向に沿った折曲線で折り曲げ、対向する側縁部同士を接着して袋状に形成された吸収性物品であって、前記吸収パッドは、尿を吸収する吸収体と、前記吸収体が固定される固定シートと、前記袋状の前記吸収性物品において、前記固定シート及び前記吸収体の外側に配置される背面シートと、を備え、前記吸収体は、前記背面シートと非接着とされ、前記固定シートは、前記吸収体が固定されていない領域で前記背面シートと接着されるとともに、前記吸収パッドの長手方向の一方の端部となる領域に、前記袋状の前記吸収性物品においてその内部空間と外部空間とを貫通するスリットが形成される。
【０００９】
また、請求項２の発明は、請求項１に記載の吸収性物品において、前記内部空間は、前記吸収性物品の内部の前記吸収体と前記背面シートとの間の空間である。
【００１０】
また、請求項３の発明は、請求項１または２に記載の吸収性物品において、前記吸収パッドを前記折曲線で折り曲げた状態で対向する、前記袋状の前記吸収性物品の開口部に相当する部分同士は接着される。
【００１１】
また、請求項４の発明は、請求項３に記載の吸収性物品において、前記背面シートは、所定方向に沿った線で折り畳まれ、一または複数の襞を有する。
【００１２】
また、請求項５の発明は、請求項４に記載の吸収性物品において、前記複数の襞は、前記所定方向の両端部で熱融着により固定される。
【００１３】
また、請求項６の発明は、請求項４または５に記載の吸収性物品において、前記所定方向は、前記吸収パッドの長手方向である。
【００１４】
また、請求項７の発明は、請求項６に記載の吸収性物品において、前記袋状の前記吸収性物品において、前記固定シートと前記背面シートとは、前記吸収パッドの長手方向の両端部に相当する位置のみにおいて接着される。
【００１５】
また、請求項８の発明は、請求項１ないし７のいずれかに記載の吸収性物品において、前記背面シートは、撥水性の第１シートと、前記袋状の前記吸収性物品において、前記第１シートの内側に配置される透液性の第２シートと、前記第１シートと前記第２シートとの間に分散配置される多数の粒状の高分子吸水体と、を備えている。
【００１６】
また、請求項９の発明は、請求項１ないし８のいずれかに記載の吸収性物品において、前記吸収体は、互いに離間して配置される複数のサブ吸収体、で構成される。
【００１７】
また、請求項１０の発明は、請求項９に記載の吸収性物品において、前記複数のサブ吸収体同士の一の境界領域は、前記吸収パッドの短手方向の中央の線に沿っている。
【００１８】
また、請求項１１の発明は、請求項９または１０に記載の吸収性物品において、前記複数のサブ吸収体同士の一の境界領域は、前記折曲線に沿っている。
【００１９】
また、請求項１２の発明は、請求項１１に記載の吸収性物品において、前記固定シートには、前記折曲線に沿って透孔が形成される。
【００２０】
また、請求項１３の発明は、請求項１ないし１２のいずれかに記載の吸収性物品において、前記吸収パッドの長手方向において、前記折曲線から前記吸収体の一方の端部までの長さと、前記折曲線から前記吸収体の他方の端部までの長さとは異なる。
【発明の効果】
【００２１】
請求項１ないし１３の発明によれば、吸収体が背面シートと非接着とされ、固定シートは吸収体が固定されていない領域で背面シートと接着される。このため、吸収性物品の内部において吸収体と背面シートとの間に空間が形成され、形成された空間にも尿を蓄積させることができ、尿の吸収効率を向上できる。また、吸収性物品の内部空間と外部空間とを貫通するスリットが形成されることから、このスリットに男性器を挿入することで、吸収性物品を安定して装着できるとともに、尿の漏洩を防止できる。
【００２２】
また、特に請求項２の発明によれば、吸収性物品の内部の吸収体と背面シートとの間の空間に、直接的に尿を進入させることができる。
【００２３】
また、特に請求項３の発明によれば、吸収性物品の開口部がおよそ閉鎖されるため、尿の漏洩を有効に防止できる。
【００２４】
また、特に請求項４の発明によれば、背面シートの面積を広げることができるため、吸収体と背面シートとの間の空間として比較的広いスペースを確保でき、多くの量の尿を蓄積させることができる。
【００２５】
また、特に請求項５の発明によれば、複数の襞が熱融着により固定されていることから、端部のみで複数の襞を固定したとしても比較的強く固定でき、製品における複数の襞の安定性を向上できる。
【００２６】
また、特に請求項６の発明によれば、吸収パッドの短手方向に相当する方向に背面シートが伸びるため、背面シートを伸ばしやすい。
【００２７】
また、特に請求項７の発明によれば、吸収パッドの短手方向に相当する方向に吸収性物品を引っ張ることで、背面シートを簡単に伸ばすことができる。また、尿を蓄積させる空間を広く確保することができる。
【００２８】
また、特に請求項８の発明によれば、背面シートに多数の高分子吸水体が分散配置される。このため、吸収体と背面シートとの間の空間に蓄積された尿を、背面シートでも吸収することができ、吸収性物品全体での尿の吸収効率を向上できる。
【００２９】
また、特に請求項９の発明によれば、吸収体が、互いに離間して配置される複数のサブ吸収体で構成されるため、各サブ吸収体は他のサブ吸収体の影響を受けずに尿を吸収できる。また、吸収体が膨張しすぎて、尿の移動を阻害することを防止できる。
【００３０】
また、特に請求項１０の発明によれば、吸収性物品において尿が通過する位置に、吸収体が配置されない。このため、尿が通過する位置の吸収体が膨張しすぎて、尿の進入を阻害することを有効に防止できる。
【００３１】
また、特に請求項１１の発明によれば、吸収性物品において尿が溜まる底部の位置に、吸収体が配置されない。このため、吸収性物品の底部の吸収体が膨張しすぎて、尿の移動を阻害することを有効に防止できる。
【００３２】
また、特に請求項１２の発明によれば、吸収性物品において尿が溜まる底部の位置においては、吸収体が配置されず、さらに、固定シートに透孔が形成される。このため、吸収性物品の内部で尿を迅速に移動させることができる。
【００３３】
また、特に請求項１３の発明によれば、吸収性物品においては、吸収体の長さが比較的長い側面と比較的短い側面とが存在することになる。吸収体の長さが比較的短い側面を肌面側とは逆側に配置して吸収性物品を使用することで、尿が直接的に接触する部分の吸収体が膨張して、尿の進入を阻害することが防止される。
【発明を実施するための最良の形態】
【００３４】
以下、図面を参照しつつ、本発明の実施の形態について説明する。
【００３５】
＜１．第１の実施の形態＞
＜１−１．採尿袋の構成＞
図１は、第１の実施の形態に係る吸収性物品である採尿袋１ａを示す図である。この採尿袋１ａは、主に男性用の補助吸収具として、使い捨てパンツなど他の着用物品（アウター）の内側に配置して使用され、使用者の排泄物（主に尿）を吸収する。
【００３６】
採尿袋１ａは、袋形状を有しており、その内部空間と外部空間とを貫通する十字のスリット４１が設けられている。採尿袋１ａを使用する場合は、このスリット４１に着用者の男性器が挿入される。これにより、着用者の尿は、採尿袋１ａの内部空間に放出され、その内部空間にある吸収体に吸収される。このような採尿袋１ａは、平面状の吸収パッドを折り曲げて袋状とすることで形成される。
【００３７】
図２は、折り曲げて袋状とする前の採尿袋１ａである吸収パッド２ａを示す図であり、採尿袋１ａの内側に相当する側からの様子を示している。また、図３は図２のIII−III位置における断面図であり、図４は図２のIV−IV位置における断面図である。なお、以下では、採尿袋１ａの内側に相当する吸収パッド２ａの側を「内部相当側」といい、採尿袋１ａの外側に相当する吸収パッド２ａの側を「外部相当側」という。
【００３８】
図に示すように、吸収パッド２ａは、全体として略長方形の形状となっている。吸収パッド２ａは、尿を吸収する吸収体３と、表面シート４と、背面シート５とを備えて構成されている。吸収体３及び表面シート４よりも外部相当側に背面シート５が配置される（図３及び図４参照。）。
【００３９】
吸収体３は、略長方形の形状を有しており、その長手方向が吸収パッド２ａの長手方向に沿うように配置される。吸収体３は、例えば、粉砕したパルプ繊維やセルロース繊維等の親水性繊維集合層に粒状のポリマー（高分子吸水体）を混合した吸収コアを、ティッシュペーパー等の被覆シートで包んで構成される。
【００４０】
表面シート４は、略長方形の形状の透液性の不織布で構成されている。吸収体３は、その全体がこの表面シート４によって包まれた状態とされている。また、表面シート４には、吸収パッド２ａの長手方向の一方側の端部となる領域において、十字状の細長い切り込みであるスリット４１が形成されている。吸収体３は、吸収パッド２ａの長手方向に関して、スリット４１が存在する側（図中では上側）とは逆側（図中では下側）に偏って配置される。これにより、表面シート４においてスリット４１が形成される部分には、吸収体３は存在していない。
【００４１】
背面シート５も、略長方形の形状を有しているが、吸収パッド２ａの長手方向に沿った線で蛇腹状に折り畳まれ、複数の襞５９を有している（図３参照。）。これにより、背面シート５は、その主面が吸収パッド２ａの短手方向に縮まった状態となっている。吸収パッド２ａの短手方向に関して、背面シート５の長さ（主面の折り畳みによって縮まった状態での長さ）は、表面シート４の長さ（吸収体３を包んだ状態の長さ）よりも長くなっている。このため、側縁部（吸収パッド２ａの短手方向の両端部）２９には、表面シート４は存在しておらず、背面シート５のみが存在している。
【００４２】
背面シート５は、透液性の不織布で構成される透液シート５１と、撥水性の不織布で構成される撥水シート５２との２つのシートを接着して構成される（図３及び図４参照。）。したがって、背面シート５の全体としては撥水性となる。透液シート５１は、撥水シート５２よりも内部相当側に配置される。また、透液シート５１と撥水シート５２との相互間には、多数の粒状のポリマー（高分子吸水体）５３が分散して配置されている。
【００４３】
表面シート４や透液シート５１に用いられる透液性の不織布としては、親水性繊維（セルロース、レーヨン、コットン等）を用いた不織布、あるいは、疎水性繊維（ポリプロピレン，ポリエチレン，ポリエステル，ポリアミド、ナイロン等）の表面を界面活性剤により処理して透液性とした不織布が挙げられる。
【００４４】
一方、撥水シート５２に用いられる撥水性の不織布としては、疎水性繊維（ポリプロピレン、ポリエチレン、ポリエステル、ポリアミド、ナイロン等）を用いた不織布が挙げられる。なお、撥水性の不織布に代えて、プラスチックフィルムや、不織布とプラスチックフィルムとの複合材料等が利用されてもよい。
【００４５】
表面シート４と、背面シート５とは、吸収パッド２ａの長手方向の両端部の接着部２１において熱融着により接着されている。また、背面シート５の複数の襞５９も、この接着部２１において熱融着により固定される。このように複数の襞５９が熱融着により固定されることから、接着剤などを利用して固定するよりも強く固定できる。このため、複数の襞５９をその端部のみで固定しても、その折り畳み状態を安定させることができる。
【００４６】
上述のように、吸収体３は表面シート４に対して固定される一方で、背面シート５に対しては非接着とされる。また、表面シート４は、吸収体３が固定されていない端部の領域で、背面シート５と接着される。したがって、吸収体３と背面シート５との間には空間が形成される。表面シート４に形成されるスリット４１は、この空間（吸収体３と背面シート５との間の空間）と外部とを貫通する（図４参照。）。吸収パッド２ａにおいて吸収体３は、表面シート４によりその位置が固定されることから、表面シート４は吸収体３が固定される固定シートであると表現できる。
【００４７】
採尿袋１ａは、以上のように構成される吸収パッド２ａを折り曲げて袋状とすることで形成される。すなわち、内部相当側を内側にして、吸収パッド２ａが、短手方向に沿った折曲線Ｌで折り曲げられる。折曲線Ｌは、吸収体３の長手方向の略中央の線である。このため、スリット４１が存在する側が、スリット４１が存在しない側よりも突出するように、吸収パッド２ａが折り曲げられる。そして、図１に示すように、折り曲げによって対向した側縁部（吸収パッド２ａの短手方向の両端部）２９同士が、接着部１１において熱融着により接着される。これにより、開口部１９を有する略長方形の袋状の採尿袋１ａが形成される。
【００４８】
上記のようにスリット４１が存在する側が突出するように吸収パッド２ａが折り曲げられることから、採尿袋１ａではスリット４１が外部に露出する。したがって、このスリット４１は、採尿袋１ａの内部空間と外部空間とを貫通することになる。採尿袋１ａの開口部１９は、スリット４１と吸収体３との間の部分と、吸収パッド２ａの長手方向におけるスリット４１が存在しない側の端部とで形成される。また、採尿袋１ａにおいて、背面シート５は最外側（表面シート４及び吸収体３の外側）に配置される。このため、背面シート５の襞５９は、採尿袋１ａの外側に露出する。
【００４９】
なお、吸収パッド２ａの長手方向は採尿袋１ａの長手方向に対応し、吸収パッド２ａの短手方向は採尿袋１ａの短手方向に対応する。したがって、背面シート５の襞５９は、採尿袋１ａの長手方向に沿って配置される。
【００５０】
図５は、図１のV−V位置における、採尿袋１ａの短手方向に沿った断面図である。採尿袋１ａの短手方向の両端部にある接着部１１においては、折り曲げによって対向した側縁部２９同士が接着されている。すなわち、背面シート５同士が接着部１１において接着される。したがって、採尿袋１ａの短手方向の両端部においては、背面シート５と表面シート４とは接着されていない。すなわち、採尿袋１ａにおいては、表面シート４  は、吸収パッド２ｂの長手方向の両端部に相当する位置のみにおいて、背面シート５と接着されることになる（図８も参照。）。
【００５１】
また、採尿袋１ａの内部には、対向する吸収体３（及び、それを包む表面シート４）同士の間の第１空間Ｒ１と、吸収体３と背面シート５との間の第２空間Ｒ２とが存在している。第１空間Ｒ１は開口部１９を介して直接的に外部に繋がり、一方、第２空間Ｒ２はスリット４１を介して直接的に外部に繋がる。これら第１空間Ｒ１と第２空間Ｒ２とは、図５に示すように、採尿袋１ａの短手方向の両端部において繋がっている。
【００５２】
また、採尿袋１ａにおいては、第２空間Ｒ２の存在により、背面シート５の襞５９を伸ばすことが可能である。採尿袋１ａは、製品としては襞５９を伸ばしていない状態（図１の状態）で出荷され、実際に使用する際に襞５９が伸ばされるようになっている。
【００５３】
＜１−２．採尿袋の使用＞
次に、採尿袋１ａの使用の態様について説明する。図６は、採尿袋１ａにおいて、背面シート５の襞５９を伸ばした様子を示す図である。また、図７は図６のVII−VII位置における断面図であり、図８は図６のVIII−VIII位置における断面図である。
【００５４】
これらの図に示すように、採尿袋１ａは襞５９を伸ばすことで、背面シート５の面積を短手方向に広げることができる。その結果、採尿袋１ａの内部において、吸収体３と背面シート５との間の第２空間Ｒ２を拡大できる。
【００５５】
採尿袋１ａを使用する際は、まず、このように背面シート５の襞５９を伸ばした後、使用者の男性器をスリット４１に挿入し、採尿袋１ａの内部の第２空間Ｒ２に収容する。そして、図９に示すように、使い捨てパンツ（パンツ型のおむつ）や一般的な下着などのアウター９を使用者に着用させ、採尿袋１ａをアウター９の内側に配置する。
【００５６】
図９は、採尿袋１ａとアウター９との配置関係を、使用者の左側に相当する方向からみた図である。図９において、図中左側が、使用者の前側に相当する。また、採尿袋１ａの図中右側が使用者が存在する肌面側となり、その逆の採尿袋１ａの図中左側がアウター９が存在するアウター側となる。
【００５７】
このような使用状態で、使用者が排尿した場合を想定する。男性器が採尿袋１ａの第２空間Ｒ２に収容されているため、使用者の尿はまず、採尿袋１ａの第２空間Ｒ２に全て放出される。
【００５８】
第２空間Ｒ２に放出された尿は、第２空間Ｒ２の底部に向けて進入するとともに、採尿袋１ｂの短手方向の端部を介して第１空間Ｒ１にも進入する。これにより、第１空間Ｒ１及び第２空間Ｒ２の双方に尿が蓄積される。したがって、吸収体３には、第１空間Ｒ１と第２空間Ｒ２との双方から尿が進入することになる。つまり、吸収体３の尿との接触面積を増やすことができるため、尿は吸収体３に効率よく吸収され、尿の吸収効率を向上できる。
【００５９】
また、採尿袋１ａでは、男性器を挿入するための挿入口としてスリット４１を採用することで、採尿袋１ａを安定して装着できるとともに、単なる開口部よりも外部への開口面積が狭くなり尿の漏洩を有効に防止できる。また、このスリット４１は、第２空間Ｒ２と外部空間とを貫通するものであるため、第２空間Ｒ２に直接的に尿を進入させることができる。
【００６０】
また、採尿袋１ａでは、背面シート５の複数の襞５９を伸ばすことで、第２空間Ｒ２として比較的広いスペースを確保することができる。このため、多くの量の尿を第２空間Ｒ２に蓄積させることができる。その結果、尿の吸収効率をさらに向上できるとともに、外部への尿の漏れ出しをさらに有効に防止できる。
【００６１】
また、背面シート５は、内側の透液シート５１と外側の撥水シート５２との間に多数の粒状のポリマー５３を備えている。このため、第２空間Ｒ２に蓄積された尿は、背面シート５の透液シート５１を通過して、ポリマー５３にも吸収される。すなわち、吸収体３のみならず、背面シート５においても、第２空間Ｒ２に蓄積された尿を吸収できる。したがって、採尿袋１ａの全体としての尿の吸収効率を大きく向上できる。
【００６２】
なお、採尿袋１ａは、開口部１９から使用者の男性器を挿入して使用することも可能である。したがって、採尿袋１ａでは、実際の使用者の状態に併せて、スリット４１に男性器を挿入して使用するか、開口部１９から男性器を挿入して使用するかのいずれかで、使用方法を選択可能である。
【００６３】
開口部１９から男性器を挿入して採尿袋１ａを使用する場合、使用者の尿は、採尿袋１ａの第１空間Ｒ１に全て放出される。第１空間Ｒ１に放出された尿は、第１空間Ｒ１の底部に向けて進入するとともに、採尿袋１ａの短手方向の端部を介して第２空間Ｒ２にも進入する。このためこの場合も、吸収体３には第１空間Ｒ１と第２空間Ｒ２との双方から尿が進入するため、尿の吸収効率を向上できる。ただし、第２空間Ｒ２は、第１空間Ｒ１よりも広いスペースであるととともに、背面シート５にも尿を吸収させることができることから、蓄積された尿の吸収効率が高い。このため、第２空間Ｒ２に直接的に尿を進入させるべく、スリット４１に男性器を挿入して使用する方が望ましい。
【００６４】
以上のように、本実施の形態の採尿袋１ａは、平面状の吸収パッド２ａを折り曲げて形成される。この吸収パッド２ａは、尿を吸収する吸収体３と、吸収体３が固定される透液性の表面シート４と、撥水性の背面シート５とを備えている。吸収体３は、背面シート５と非接着とされ、表面シート４は吸収体３が存在しない領域で背面シート５と接着される。このため、採尿袋１ａの内部においては、吸収体３同士の間の第１空間Ｒ１と、吸収体３と背面シート５との間の第２空間Ｒ２とを形成できる。そして、これらの第１空間Ｒ１と第２空間Ｒ２との双方に尿を蓄積させることができるため、吸収体３の尿との接触面積を増やすことができ、尿の吸収効率を向上できる。また、採尿袋１ａの内部空間と外部空間とを貫通するスリット４１が形成されることから、このスリット４１に男性器を挿入することで、採尿袋１ａを安定して装着できるとともに、尿の漏洩を有効に防止できる。
【００６５】
＜２．第２の実施の形態＞
次に、第２の実施の形態について説明する。本実施の形態の採尿袋は、第１の実施の形態とほぼ同様であるが、吸収体３が複数のサブ吸収体で構成されている点で相違している。
【００６６】
図１０は、第２の実施の形態の採尿袋を形成するための吸収パッド２ｂの内部相当側からの様子を示している。図に示すように、本実施の形態においては、吸収体３は、２つのサブ吸収体３１で構成されている。これらの２つのサブ吸収体３１は、互いに離間して、折曲線Ｌに関して線対称となるように配置される。すなわち、２つのサブ吸収体３１同士の境界領域３２は、折曲線Ｌに沿っている。換言すれば、吸収体３が、折曲線Ｌに沿って二つに分割されているとも表現できる。
【００６７】
これらの２つのサブ吸収体３１はそれぞれ、第１の実施の形態と同様に、表面シート４に包まれた状態とされている。サブ吸収体３１の素材自体は、第１の実施の形態の吸収体３の素材と同一のものを採用できる。
【００６８】
また、２つのサブ吸収体３１同士の境界領域３２に対応する表面シート４の部分には、吸収体３と背面シート５との間の空間（第２空間Ｒ２）と外部とを貫通する複数（図中では３つ）の透孔４２が形成されている。換言すれば、表面シート４に、複数の透孔４２が折曲線Ｌに沿って形成されているとも表現できる。
【００６９】
図１１は、図１０に示す吸収パッド２ｂを折り曲げて形成した本実施の形態の採尿袋１ｂの長手方向に沿った断面図である。この採尿袋１ｂでは、複数のサブ吸収体３１が互いに離間して配置されることから、各サブ吸収体３１は他のサブ吸収体３１の影響を受けずに尿を効率よく吸収できる。
【００７０】
また、サブ吸収体３１同士の境界領域３２は折曲線Ｌに沿っているため、採尿袋１ｂの底部には吸収体が配置されない。この採尿袋１ｂの底部には尿が溜まりやすいため、底部に吸収体の一部が存在すると、その底部に対応する吸収体の部分は他の部分と比較して大きく膨張する。その結果、その膨張した吸収体の部分が、尿の第１空間Ｒ１と第２空間Ｒ２との間の移動や、尿の第２空間Ｒ２内の移動を阻害する可能性がある。これに対して、本実施の形態のように採尿袋１ｅの底部に吸収体が存在しないようにすることで、膨張した吸収体が尿の移動を阻害することが防止され、採尿袋１ｂの内部において尿をスムーズに移動させることができる。
【００７１】
また、このサブ吸収体３１同士の境界領域３２に対応する表面シート４の部分に複数の透孔４２が形成されるため、採尿袋１ｂにおいては底部に透孔４２が配置される。そしてこの透孔４２により、採尿袋１ｂの内部の第１空間Ｒ１と第２空間Ｒ２とが貫通して繋げられる。したがって、第１空間Ｒ１と第２空間Ｒ２との間で尿をスムーズに移動させることができる。
【００７２】
＜３．第３の実施の形態＞
次に、第３の実施の形態について説明する。第２の実施の形態では、吸収体３が折曲線Ｌに沿って二つに分割されていたが、第３の実施の形態では、吸収体３が吸収パッドの短手方向の中央の線に沿って二つに分割されている。
【００７３】
図１２は、第３の実施の形態の採尿袋を形成するための吸収パッド２ｃの内部相当側からの様子を示している。図に示すように、本実施の形態においても、吸収体３は、２つのサブ吸収体３１で構成されている。そして、これらの２つのサブ吸収体３１は、互いに離間して、吸収パッド２ｃの短手方向の中央の線Ｌｃに関して線対称となるように配置される。すなわち、２つのサブ吸収体３１同士の境界領域３２は、吸収パッド２ｃの短手方向の中央の線Ｌｃに沿っている。
【００７４】
この吸収パッド２ｃを折り曲げて形成した採尿袋では、その短手方向の中央部に吸収体が配置されない。通常、採尿袋の短手方向の中央部は、男性器から放出された尿の主な進入経路となる。
【００７５】
したがって、この中央部に吸収体の一部が存在すると、その中央部に対応する吸収体の部分は他の部分と比較して大きく膨張し、尿の内部への進入を阻害する可能性がある。これに対して、本実施の形態のように採尿袋の短手方向の中央部分に吸収体が存在しないようにすることで、膨張した吸収体が尿の進入を阻害することが防止され、尿をスムーズに進入させることができる。
【００７６】
＜４．第４の実施の形態＞
次に、第４の実施の形態について説明する。本実施の形態の採尿袋は、第１の実施の形態とほぼ同様であるが、吸収パッドにおいて、折曲線Ｌの中央と吸収体３の中央とが異なっている点で相違している。
【００７７】
図１３は、第４の実施の形態の採尿袋を形成するための吸収パッド２ｊの内部相当側からの様子を示している。図に示すように、本実施の形態の吸収パッド２ｊにおいては、折曲線Ｌの中央と吸収体３の中央とが異なり、折曲線Ｌに関して非対称に吸収体３が配置されている。具体的には、吸収パッド２ｊの長手方向の一方側（図中では下側）に吸収体３が偏って配置されている。これにより、吸収パッド２ｊの長手方向において、折曲線Ｌから吸収体３の一方の端部までの長さと、折曲線Ｌから吸収体の他方の端部までの長さとが異なっている。
【００７８】
図１４は、図１３に示す吸収パッド２ｊを折り曲げて形成した本実施の形態の採尿袋１ｊの長手方向に沿った断面図である。採尿袋１ｊでは、吸収体３の長さが比較的長い側面１２と、比較的短い側面１３とが対向して存在することになる。この採尿袋１ｊは、吸収体３の長さが比較的長い側面１２を肌面側に、吸収体３の長さが比較的短い側面１３をアウター側にそれぞれ配置して使用する。
【００７９】
開口部１９から男性器を挿入して採尿袋１ｊを使用する場合、採尿袋の内部では、図中矢印Ａ１に示すように、男性器から放出された尿は、まず、アウター側に配置された側面に接触する。したがって、この尿が直接的に接触する位置に吸収体の一部が存在すると、当該位置に対応する吸収体の部分は他の部分と比較して大きく膨張し、尿の内部への進入を阻害する可能性がある。これに対して、本実施の形態のように、吸収体３の長さが比較的短い側面１３をアウター側に配置して使用することで、膨張した吸収体が尿の進入を阻害することが防止され、尿をスムーズに進入させることができる。
【００８０】
＜５．第５の実施の形態＞
次に、第５の実施の形態について説明する。第１の実施の形態では開口部１９が開口していたが、本実施の形態ではこの開口部１９に相当する部分同士が接着され、開口部１９が閉鎖されている点で第１の実施の形態と相違する。
【００８１】
図１５は、第５の実施の形態の採尿袋１ｄの長手方向に沿った断面図である。図８に示す第１の実施の形態の採尿袋１ａと比較して分るように、図１５に示す第５の実施の形態の採尿袋１ｄでは開口部１９がおよそ閉鎖されている。すなわち、吸収パッドを折曲線Ｌで折り曲げた状態で対向する、採尿袋１ｄの開口部１９に相当する部分同士（スリット４１と吸収体３との間の部分、及び、吸収パッドの長手方向におけるスリット４１が存在しない側の端部）が、接着材により接着されている。
【００８２】
このように開口部１９を閉鎖することで、開口部１９から尿が漏れにくくなり、採尿袋１ｄからの尿の漏洩を有効に防止できる。なお、本実施の形態の採尿袋１ｄでは、開口部１９から男性器を挿入して使用することはできない。
【００８３】
＜６．第６の実施の形態＞
次に、第６の実施の形態について説明する。上記実施の形態では、スリット４１は第２空間Ｒ２と外部空間とを貫通するものであったが、第６の実施の形態では、スリット４１は第１空間Ｒ１と外部空間とを貫通するものとなっている。
【００８４】
図１６は、第６の実施の形態の採尿袋１ｅの長手方向に沿った断面図である。図１６に示すように、採尿袋１ｅでは、表面シート４の端部の領域４３が開口部１９を覆うように配置され、この領域４３に内部空間と外部空間とを貫通するスリット４１が形成されている。したがって、採尿袋１ｅでは、第１空間Ｒ１はスリット４１を介して直接的に外部に繋がる一方で、第２空間Ｒ２は直接的には外部に繋がっていない。
【００８５】
図１７は、第６の実施の形態の採尿袋１ｅを形成するための吸収パッド２ｅの内部相当側からの様子を示している。また、図１８は図１７のXVIII−XVIII位置における断面図である。
【００８６】
本実施の形態においても、吸収パッド２ｅは、尿を吸収する吸収体３と、それを包む透液性の表面シート４と、複数の襞５９を有する撥水性の背面シート５とを備えて構成される。また、背面シート５の長手方向の両端部の接着部２１において、表面シート４と背面シート５とが熱融着により接着されている。
【００８７】
ただし、吸収体３の長手方向の中央部は背面シート５の長手方向の中央部と一致するように配置される。そして、これら吸収体３及び背面シート５の長手方向の中央部に、吸収パッド２ｅの折曲線Ｌが設定される。
【００８８】
また、吸収パッド２ｅの長手方向に関して、表面シート４の長さは、背面シート５よりも長くなっている。そして、吸収パッド２ｅの長手方向の一方側において、表面シート４は、背面シート５よりも外部に延びる領域（以下、「延長領域」という。）４３を有している。この表面シート４の延長領域４３に、スリット４１が形成されている。
【００８９】
図１６に示す採尿袋１ｅは、以上のように構成される吸収パッド２ｅから形成される。まず、吸収パッド２ｅを、内部相当側を内側にして折曲線Ｌで折り曲げ、対向する側縁部２９同士を接着して袋状とする。次に、開口部１９を覆うように表面シート４の延長領域４３を配置し、延長領域４３の端部を表面シート４の他方側の端部に接着する。これにより、スリット４１は、第１空間Ｒ１と外部空間とを貫通するように配置される。
【００９０】
この採尿袋１ｅも、使用者の男性器をスリット４１に挿入して使用する。この採尿袋１ｅでは、使用者の男性器は採尿袋１ａの内部の第１空間Ｒ１に収容されるため、使用者の尿は第１空間Ｒ１に全て放出されることになる。第１空間Ｒ１に放出された尿は、第１空間Ｒ１の底部に向けて進入するとともに、採尿袋１ｂの短手方向の端部を介して第２空間Ｒ２にも進入する。このため、本実施の形態においても、吸収体３には第１空間Ｒ１と第２空間Ｒ２との双方から尿が進入するため、尿の吸収効率を向上できる。また、採尿袋１ｅでは、スリット４１が配置された開口部１９のみで内部空間と外部空間とが繋がっているため、採尿袋１ｅからの尿の漏洩を有効に防止できる。
【００９１】
＜７．第７の実施の形態＞
次に、第７の実施の形態について説明する。上記実施の形態では、表面シート４は吸収体３を包んでいると説明したが、第７の実施の形態では、平面状に延びる表面シート４に対して吸収体３が接着されている。
【００９２】
図１９は、第７の実施の形態の採尿袋を形成するための吸収パッド２ｆの内部相当側からの様子を示している。また、図２０は図１９のXX−XX位置における断面図である。
【００９３】
本実施の形態においても、吸収パッド２ｆは、吸収体３と、表面シート４と、背面シート５とを備えて構成される。これらの部材の素材は、第１の実施の形態と同様である。また、第１の実施の形態と同様に、背面シート５は複数の襞５９を有している。
【００９４】
ただし、吸収パッド２ｆは、表面シート４と背面シート５とで吸収体３を挟んだ積層構造を有している。これら３つの部材は、内部相当側から、表面シート４、吸収体３、背面シート５の順で配置される。すなわち、吸収体３及び表面シート４の外部相当側に背面シート５が配置される。そして、吸収体３は、平面状に延びる表面シート４に対して、内部相当側の主面全体が接着材により接着されている。
【００９５】
表面シート４の主面のサイズは、主面の折り畳みによって縮まった状態での背面シート５の主面のサイズと略同一となっている。したがって、側縁部２９には、表面シート４と背面シート５とで構成される層が存在している状態となっている。
【００９６】
この表面シート４は、吸収パッド２ｆの長手方向の両端部の接着部２１において、熱融着により背面シート５に固定される。この接着部２１の位置には、吸収体３は存在していない。
【００９７】
したがって、本実施の形態の吸収パッド２ｆにおいても、吸収体３は、表面シート４に固定され、背面シート５とは非接着とされる。これとともに、表面シート４は、吸収体３が固定されていない端部の領域で、背面シート５と接着される。これにより、吸収体３と背面シート５との間には空間（第２空間Ｒ２）が形成される。本実施の形態の吸収パッド２ｂにおいても、表面シート４は、吸収体３が固定される固定シートであると表現できる。
【００９８】
第７の実施の形態の採尿袋１ｆは、以上のように構成される吸収パッド２ｆを折り曲げて袋状とすることで形成される。このようにして形成される採尿袋１ｆの外観は、図１に示すものと同様となる。本実施の形態においても、内部相当側を内側にして吸収パッド２ｂが折曲線Ｌで折り曲げられ、対向する側縁部２９同士が、接着部１１において熱融着により接着される。
【００９９】
図２１は、図１のV−V位置に相当する位置における、本実施の形態の採尿袋１ｆの短手方向に沿った断面図である。採尿袋１ｆの短手方向の両端部の接着部１１においては、折り曲げによって対向した側縁部２９（表面シート４と背面シート５とで構成される層）同士が接着されている。すなわち、表面シート４と背面シート５とは、接着部１１において接着される。
【０１００】
このように本実施の形態の採尿袋１ｆでは、短手方向の両端部において背面シート５と表面シート４とが接着される。このため、採尿袋１ｆの内部においては、第１空間Ｒ１と第２空間Ｒ２とが繋がっていない状態となる。このため、第２空間Ｒ２に入り込んだ尿のうち、表面シート４を透過したもののみが第１空間Ｒ１に進入するため、開口部１９からの尿の漏れが防止できる。
【０１０１】
なおもちろん、本実施の形態の採尿袋１ｆでも、背面シート５の襞５９を伸ばすことが可能である。図２２は、背面シート５の襞５９を伸ばした場合における、採尿袋１ｆの短手方向に沿った断面図である。図２１及び図２２を参照して分るように、この採尿袋１ｆでは短手方向の両端部において背面シート５と表面シート４とが接着されているため、採尿袋１ｆの短手方向に沿って背面シート５の両端部を引っ張っても、表面シート４の長さ以上に背面シート５を引き伸ばすことはできない。このため、採尿袋１ｆでは、背面シート５の襞５９を伸ばすことは多少難しくなる。
【０１０２】
これに対して、第１の実施の形態の採尿袋１ａのように、その短手方向の両端部において、表面シート４と背面シート５とが接着されなければ、図５ないし図７に示すように、表面シート４に影響されずに背面シート５を引き伸ばすことができる。すなわち、採尿袋１ａの短手方向に沿って、背面シート５の両端部を引っ張るだけで、背面シート５の襞５９を簡単に伸ばすことができる。このため、上記実施の形態のように、表面シート４は、吸収パッド２ｂの長手方向の両端部に相当する位置のみにおいて背面シート５と接着されることが望ましい。
【０１０３】
なお、図２３に示す吸収パッド２ｇのように、吸収パッド２ｇの短手方向に関して、折り畳んだ状態の背面シート５よりも長さの短い表面シート４を設け、この表面シート４に対して吸収体３を接着してもよい。この場合も、側縁部２９には、背面シート５のみが存在している状態となる。したがって、この吸収パッド２ｇを折り曲げて採尿袋を形成した場合においても、その短手方向の両端部において背面シート５と表面シート４とが接着されない状態とすることができる。
【０１０４】
＜８．他の実施の形態＞
以上、本発明の実施の形態について説明してきたが、この発明は上記実施の形態に限定されるものではなく様々な変形が可能である。以下では、このような他の実施の形態について説明する。
【０１０５】
上記実施の形態では、吸収パッドの長手方向の両端部において、表面シート４と背面シート５とが直接的に接着されていた。これに対して、図２４及び図２５に示す吸収パッド２ｈのように、表面シート４の長手方向の両端部にエンドシート４４を接着し、このエンドシート４４と背面シート５とを接着してもよい。なお、図２５は、図２４のXXV-XXV位置における断面図である。このようなエンドシート４４としては、撥水性の不織布と透液性の不織布のいずれも採用できる。また、吸収パッド２ｈの短手方向に関して、エンドシート４４のサイズは、背面シート５のサイズと略同一とされている。表面シート４の長手方向の両端部に、このようなエンドシート４４を配置することで、表面シート４を確実に固定できる。また、エンドシート４４として撥水性の不織布を採用すれば、表面シート４の長手方向の両端部から尿が外部にしみ出すことが防止される。
【０１０６】
このようにエンドシート４４を設ける場合は、吸収体３は、表面シート４とエンドシート４４との双方によりその位置が固定されることから、表面シート４とエンドシート４４とを組み合わせた構造が、吸収体３が固定される固定シートであると表現できる。そして、この表面シート４とエンドシート４４とを組み合わせた構造に対して、スリット４１が形成されることになる。つまり、スリット４１は、表面シート４及びエンドシート４４のいずれか、あるいは、表面シート４及びエンドシート４４の双方に形成される。
【０１０７】
また、上記実施の形態では、背面シート５は、透液シート５１と撥水シート５２と多数のポリマー５３とを備えて構成されていたが、図２４に示す吸収パッド２ｉのように、一枚の撥水性の不織布５４のみで構成してもよい。
【０１０８】
また、上記実施の形態では、吸収パッドの長手方向に沿った線で蛇腹状に折り畳まれて背面シート５の襞５９が形成されていたが、吸収パッドの短手方向に沿った線で蛇腹状に折り畳まれることで背面シート５の襞が形成されてもよい。
【０１０９】
また、上記実施の形態では、背面シート５は複数の襞５９を有するものであったが、比較的大きな一つの襞を有し、この襞を伸ばすことで背面シート５の面積を広げることができるようになっていてもよい。
【０１１０】
また、以上で説明した各種形態を適宜に組み合わせてもよいことはもちろんである。例えば、第４の実施の形態の採尿袋１ｄや第５の実施の形態の採尿袋１ｅに関して、第２又は第３の実施の形態のように、複数のサブ吸収体３１で構成される吸収体３を採用してもよい。
【０１１１】
また、第２及び第３の実施の形態を組み合わせ、吸収体３を４つのサブ吸収体３１で構成してもよい。この場合は、サブ吸収体３１同士の一境界領域が折曲線Ｌに沿い、他の一の境界領域が吸収パッドの短手方向の中央の線に沿うことになる。
【０１１２】
また、第６の実施の形態における延長領域４３を上述したエンドシート４４で構成するようにしてもよい。図２７は、この場合における吸収パッド２ｋの内部相当側からの様子を示している。また、図２８は図２７のXXVIII−XXVIII位置における断面図である。
【０１１３】
この吸収パッド２ｋでは、その長手方向において表面シート４のサイズは背面シート５よりも短くされ、表面シート４の両端部にエンドシート４４が接着されている。そして、吸収パッド２ｋの長手方向の一方側においては、エンドシート４４は、背面シート５よりも外部に延びる延長領域４３を有している。この場合は、このエンドシート４４の延長領域４３に、スリット４１が形成される。
【０１１４】
また、この吸収パッド２ｋでは、吸収体３が折曲線Ｌに沿って二つに分割され、２つのサブ吸収体３１で構成されている（第２の実施の形態と同様）。また、吸収パッド２ｋの長手方向に関して、これらの２つのサブ吸収体３１の一方は他方よりも短くなっており、２つのサブ吸収体３１は折曲線Ｌに関して非対称に配置されている（第４の実施の形態と同様）。
【０１１５】
図２９に示す採尿袋１ｋは、以上のように構成される吸収パッド２ｋから形成される。まず、吸収パッド２ｋを、内部相当側を内側にして折曲線Ｌで折り曲げ、対向する側縁部２９同士を接着して袋状とする。次に、開口部１９を覆うようにエンドシート４４の延長領域４３を配置し、延長領域４３の端部を、他方側のエンドシート４４の端部に接着する。これにより、エンドシート４４の延長領域４３にあるスリット４１は、第１空間Ｒ１と外部空間とを貫通するように配置されることになる。
【図面の簡単な説明】
【０１１６】
【図１】第１の実施の形態に係る採尿袋を示す図である。
【図２】第１の実施の形態の吸収パッドを示す図である。
【図３】図２のIII−III位置における断面図である。
【図４】図２のIV−IV位置における断面図である。
【図５】第１の実施の形態の採尿袋の短手方向に沿った断面図である。
【図６】第１の実施の形態の採尿袋の背面シートを伸ばした様子を示す図である。
【図７】図６のVII−VII位置における断面図である。
【図８】図６のVIII−VIII位置における断面図である。
【図９】採尿袋とアウターとの配置関係を示す図である。
【図１０】第２の実施の形態の吸収パッドを示す図である。
【図１１】第２の実施の形態の採尿袋の長手方向に沿った断面図である。
【図１２】第３の実施の形態の吸収パッドを示す図である。
【図１３】第４の実施の形態の吸収パッドを示す図である。
【図１４】第４の実施の形態の採尿袋の長手方向に沿った断面図である。
【図１５】第５の実施の形態の採尿袋の長手方向に沿った断面図である。
【図１６】第６の実施の形態の採尿袋の長手方向に沿った断面図である。
【図１７】第６の実施の形態の吸収パッド示す図である。
【図１８】図１７のXVIII−XVIII位置における断面図である。
【図１９】第７の実施の形態の吸収パッドを示す図である。
【図２０】図１９のXX−XX位置における断面図である。
【図２１】第７実施の形態の採尿袋の短手方向に沿った断面図である。
【図２２】第７の実施の形態の採尿袋の背面シートを伸ばした様子を示す図である。
【図２３】第７の実施の形態の吸収パッドの他の一例を示す図である。
【図２４】吸収パッドの他の一例を示す図である。
【図２５】図２４のXXV-XXV位置における断面図である。
【図２６】吸収パッドの他の一例を示す図である。
【図２７】吸収パッドの他の一例を示す図である。
【図２８】図２７のXXVIII-XXVIII位置における断面図である。
【図２９】採尿袋の他の一例を示す図である。
【符号の説明】
【０１１７】
１ａ      採尿袋
２ａ      吸収パッド
３        吸収体
４        表面シート
５        背面シート
１９      開口部
４１      スリット
４２      透孔
４３      延長領域
５３      ポリマー
５９      襞
Ｌ        折曲線
【図１】
2008228981.tif 000003
【図２】
2008228981.tif 000004
【図３】
2008228981.tif 000005
【図４】
2008228981.tif 000006
【図５】
2008228981.tif 000007
【図６】
2008228981.tif 000008
【図７】
2008228981.tif 000009
【図８】
2008228981.tif 000010
【図９】
2008228981.tif 000011
【図１０】
2008228981.tif 000012
【図１１】
2008228981.tif 000013
【図１２】
2008228981.tif 000014
【図１３】
2008228981.tif 000015
【図１４】
2008228981.tif 000016
【図１５】
2008228981.tif 000017
【図１６】
2008228981.tif 000018
【図１７】
2008228981.tif 000019
【図１８】
2008228981.tif 000020
【図１９】
2008228981.tif 000021
【図２０】
2008228981.tif 000022
【図２１】
2008228981.tif 000023
【図２２】
2008228981.tif 000024
【図２３】
2008228981.tif 000025
【図２４】
2008228981.tif 000026
【図２５】
2008228981.tif 000027
【図２６】
2008228981.tif 000028
【図２７】
2008228981.tif 000029
【図２８】
2008228981.tif 000030
【図２９】
2008228981.tif 000031